【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
波長４２０〜４９０ｎｍの青色光成分を含む光を出射する青色ＬＥＤ光源又は擬似白色ＬＥＤ光源と、該ＬＥＤ光源の光軸上にＬＥＤ光源から気体層又は真空層を介して２〜１００ｍｍ離間して配置される波長変換部材とを備え、
この波長変換部材が、下記式
Ｋ2（Ｓｉ1-xＭｎx）Ｆ6（ｘは０．００１〜０．３である。）
で表され、粒度分布における体積累計５０％の粒径Ｄ５０が２μｍ以上２００μｍ以下である複フッ化物蛍光体が３０質量％以下の含有量で分散された、ポリオレフィン、ポリスチレン、スチレン共重合体、フッ素樹脂、アクリル樹脂、ナイロン、塩化ビニル樹脂及びポリエーテル樹脂の群から選ばれる１種又は２種以上の熱可塑性樹脂からなる樹脂成型体のみからなることを特徴とするリモートフォスファー方式の発光装置。
【請求項２】
波長４２０〜４９０ｎｍの青色光成分を含む光を出射する擬似白色ＬＥＤ光源と、該ＬＥＤ光源の光軸上にＬＥＤ光源から気体層又は真空層を介して２〜１００ｍｍ離間して配置される波長変換部材とを備え、
この波長変換部材が、下記式
Ｋ2（Ｓｉ1-xＭｎx）Ｆ6（ｘは０．００１〜０．３である。）
で表され、粒度分布における体積累計５０％の粒径Ｄ５０が２μｍ以上２００μｍ以下である複フッ化物蛍光体が３０質量％以下の含有量で分散された、ポリオレフィン、ポリスチレン、スチレン共重合体、フッ素樹脂、アクリル樹脂、ナイロン、塩化ビニル樹脂及びポリエーテル樹脂の群から選ばれる１種又は２種以上の熱可塑性樹脂からなる樹脂成型体であることを特徴とするリモートフォスファー方式の発光装置。
【請求項３】
青色光を出射するＬＥＤ光源と、該ＬＥＤ光源の光軸上に配置される一の波長変換部材と、上記青色光を吸収して上記一の波長変換部材とは波長の異なる光を発する蛍光体を含む他の波長変換部材とを備え、上記一の波長変換部材がＬＥＤ光源から気体層又は真空層を介して２〜１００ｍｍ離間して配置されると共に、この一の波長変換部材が、下記式
Ｋ2（Ｓｉ1-xＭｎx）Ｆ6（ｘは０．００１〜０．３である。）
で表され、粒度分布における体積累計５０％の粒径Ｄ５０が２μｍ以上２００μｍ以下である複フッ化物蛍光体が３０質量％以下の含有量で分散された、ポリオレフィン、ポリスチレン、スチレン共重合体、フッ素樹脂、アクリル樹脂、ナイロン、塩化ビニル樹脂及びポリエーテル樹脂の群から選ばれる１種又は２種以上の熱可塑性樹脂からなる樹脂成型体であり、上記ＬＥＤ光源側から、他の波長変換部材、一の波長変換部材の順で配置されていることを特徴とするリモートフォスファー方式の発光装置。
【請求項４】
上記他の波長変換部材がＹ3Ａｌ5Ｏ12：Ｃｅ3+蛍光体を含む請求項３記載の発光装置。
【請求項５】
上記他の波長変換部材がＹ3Ａｌ5Ｏ12：Ｃｅ3+蛍光体を熱可塑性樹脂に３〜５質量％練り込んだ黄色もしくは緑色系波長変換部材である請求項４記載の発光装置。
【請求項６】
上記熱可塑性樹脂が、アクリル樹脂からなる請求項１〜５のいずれか１項記載の発光装置。
【請求項７】
上記樹脂成型体が、上記複フッ化物蛍光体をアクリル樹脂に練り込んだ熱成型体である請求項６記載の発光装置。
【請求項８】
上記複フッ化物蛍光体を含有する波長変換部材の平均厚さが０．５〜５ｍｍである請求項１〜７のいずれか１項記載の発光装置。
【請求項９】
上記樹脂成型体が板状である請求項１〜８のいずれか１項記載の発光装置。
【手続補正２】
【補正対象書類名】明細書
【補正対象項目名】００１１
【補正方法】変更
【補正の内容】
【００１１】
従って、本発明は、下記の発光装置を提供する。
〔１〕  波長４２０〜４９０ｎｍの青色光成分を含む光を出射する青色ＬＥＤ光源又は擬似白色ＬＥＤ光源と、該ＬＥＤ光源の光軸上にＬＥＤ光源から気体層又は真空層を介して２〜１００ｍｍ離間して配置される波長変換部材とを備え、
この波長変換部材が、下記式
Ｋ2（Ｓｉ1-xＭｎx）Ｆ6（ｘは０．００１〜０．３である。）
で表され、粒度分布における体積累計５０％の粒径Ｄ５０が２μｍ以上２００μｍ以下である複フッ化物蛍光体が３０質量％以下の含有量で分散された、ポリオレフィン、ポリスチレン、スチレン共重合体、フッ素樹脂、アクリル樹脂、ナイロン、塩化ビニル樹脂及びポリエーテル樹脂の群から選ばれる１種又は２種以上の熱可塑性樹脂からなる樹脂成型体のみからなることを特徴とするリモートフォスファー方式の発光装置。
〔２〕  波長４２０〜４９０ｎｍの青色光成分を含む光を出射する擬似白色ＬＥＤ光源と、該ＬＥＤ光源の光軸上にＬＥＤ光源から気体層又は真空層を介して２〜１００ｍｍ離間して配置される波長変換部材とを備え、
この波長変換部材が、下記式
Ｋ2（Ｓｉ1-xＭｎx）Ｆ6（ｘは０．００１〜０．３である。）
で表され、粒度分布における体積累計５０％の粒径Ｄ５０が２μｍ以上２００μｍ以下である複フッ化物蛍光体が３０質量％以下の含有量で分散された、ポリオレフィン、ポリスチレン、スチレン共重合体、フッ素樹脂、アクリル樹脂、ナイロン、塩化ビニル樹脂及びポリエーテル樹脂の群から選ばれる１種又は２種以上の熱可塑性樹脂からなる樹脂成型体であることを特徴とするリモートフォスファー方式の発光装置。
〔３〕  青色光を出射するＬＥＤ光源と、該ＬＥＤ光源の光軸上に配置される一の波長変換部材と、上記青色光を吸収して上記一の波長変換部材とは波長の異なる光を発する蛍光体を含む他の波長変換部材とを備え、上記一の波長変換部材がＬＥＤ光源から気体層又は真空層を介して２〜１００ｍｍ離間して配置されると共に、この一の波長変換部材が、下記式
Ｋ2（Ｓｉ1-xＭｎx）Ｆ6（ｘは０．００１〜０．３である。）
で表され、粒度分布における体積累計５０％の粒径Ｄ５０が２μｍ以上２００μｍ以下である複フッ化物蛍光体が３０質量％以下の含有量で分散された、ポリオレフィン、ポリスチレン、スチレン共重合体、フッ素樹脂、アクリル樹脂、ナイロン、塩化ビニル樹脂及びポリエーテル樹脂の群から選ばれる１種又は２種以上の熱可塑性樹脂からなる樹脂成型体であり、上記ＬＥＤ光源側から、他の波長変換部材、一の波長変換部材の順で配置されていることを特徴とするリモートフォスファー方式の発光装置。
〔４〕  上記他の波長変換部材がＹ3Ａｌ5Ｏ12：Ｃｅ3+蛍光体を含む〔３〕記載の発光装置。
〔５〕  上記他の波長変換部材がＹ3Ａｌ5Ｏ12：Ｃｅ3+蛍光体を熱可塑性樹脂に３〜５質量％練り込んだ黄色もしくは緑色系波長変換部材である〔４〕記載の発光装置。
〔６〕  上記熱可塑性樹脂が、アクリル樹脂からなる〔１〕〜〔５〕のいずれかに記載の発光装置。
〔７〕  上記樹脂成型体が、上記複フッ化物蛍光体をアクリル樹脂に練り込んだ熱成型体である〔６〕記載の発光装置。
〔８〕  上記複フッ化物蛍光体を含有する波長変換部材の平均厚さが０．５〜５ｍｍである〔１〕〜〔７〕のいずれかに記載の発光装置。
〔９〕  上記樹脂成型体が板状である〔１〕〜〔８〕のいずれかに記載の発光装置。
また、本発明は、下記の波長変換部材及び発光装置が関連する。
〔ｉ〕  下記式（１）
Ａ2（Ｍ1-xＭｎx）Ｆ6  （１）
（式中、ＭはＳｉ、Ｔｉ、Ｚｒ、Ｈｆ、Ｇｅ及びＳｎから選ばれる１種又は２種以上の４価元素、ＡはＬｉ、Ｎａ、Ｋ、Ｒｂ及びＣｓから選ばれ、かつ少なくともＮａ及び／又はＫを含む１種又は２種以上のアルカリ金属であり、ｘは０．００１〜０．３である。）
で表され、粒度分布における体積累計５０％の粒径Ｄ５０が２μｍ以上２００μｍ以下である複フッ化物蛍光体が３０質量％以下の含有量で分散された、ポリオレフィン、ポリスチレン、スチレン共重合体、フッ素樹脂、アクリル樹脂、ナイロン、ポリエステル樹脂、ポリカーボネート樹脂、塩化ビニル樹脂及びポリエーテル樹脂の群から選ばれる１種又は２種以上の熱可塑性樹脂からなる樹脂成型体であることを特徴とする波長変換部材。
〔ｉｉ〕  上記複フッ化物蛍光体が、Ｋ2（Ｓｉ1-xＭｎx）Ｆ6（ｘは上記と同じ）で表されるマンガン賦活ケイフッ化カリウムである〔ｉ〕記載の波長変換部材。
〔ｉｉｉ〕  上記熱可塑性樹脂が、ポリプロピレン及び／又はポリスチレンを含む〔ｉ〕又は〔ｉｉ〕記載の波長変換部材。
〔ｉｖ〕  上記熱可塑性樹脂が、ポリプロピレン及び／又はポリスチレンを４０質量％以上含む〔ｉ〕又は〔ｉｉ〕記載の波長変換部材。
〔ｖ〕  波長４２０〜４９０ｎｍの青色光成分を含む光を出射する青色ＬＥＤ光源又は擬似白色ＬＥＤ光源と、該ＬＥＤ光源の光軸上に配置される〔ｉ〕〜〔ｉｖ〕のいずれかに記載の波長変換部材とを備えることを特徴とする発光装置。
〔ｖｉ〕  青色光を出射するＬＥＤ光源と、該ＬＥＤ光源の光軸上に配置される〔ｉ〕〜〔ｉｖ〕のいずれかに記載の波長変換部材と、上記青色光を吸収して上記複フッ化物蛍光体とは波長の異なる光を発する蛍光体を含む他の波長変換部材とを備えることを特徴とする発光装置。